(57)【要約】【課題】配線留め部材によって配線が留められた状態を有利に維持することが出来ると共に、配線を留める作業を効率良く行うことが出来る、新規な構造のパチンコ機を提供することを、目的とする。【解決手段】パチンコ機１０における配線留め部材３２が取り付けられる取付面２５には、壁状突出部２８が設けられている一方、配線留め部材３２が、壁状突出部２８から離れた位置で取付面２５に取り付けられる取付部３４を有していると共に、かかる取付部３４が取付面２５に取り付けられた状態で、取付面２５から突出した取付部３４の先端部分から取付面２５に沿って壁状突出部２８に至るまで延びる腕部３６を有している。また、このような配線留め部材３２が壁状突出部２８に沿って並ぶように所定距離を隔てて複数配されている。【選択図】図７
2007319209.tif 000002
【特許請求の範囲】
【請求項１】
配線留め部材によって配線が留められたパチンコ機において、
前記パチンコ機における前記配線留め部材が取り付けられる取付面には、壁状突出部が設けられている一方、該配線留め部材には、該壁状突出部から離隔した位置において該取付面に取り付けられる取付部が設けられていると共に、該取付部が前記取付面に取り付けられた状態で該取付面から突出した該取付部の先端部分から該取付面に沿って該壁状突出部に至るまで延びる腕部が設けられており、更に、該配線留め部材が該壁状突出部に沿って並ぶように所定距離を隔てて複数配されていることを特徴とするパチンコ機。
【発明の詳細な説明】
【技術分野】
【０００１】
本発明は、配線留め部材によって配線処理が施されたパチンコ機に関するものである。
【背景技術】
【０００２】
良く知られているように、パチンコ機においては、電源用配線や信号用配線等、多くの配線が用いられている。それ故、これらの配線を巧く処理する必要がある。
【０００３】
そこで、特許文献１において、コ字状に形成された配線押え片と、かかる配線押え片の側方に所定間隔をおいて位置する配線誘導片とを、配線が敷設される個所に突設し、これら配線押え片と配線誘導片によって配線を係止するようにした遊技機が提案されている。
【０００４】
しかしながら、特許文献１に記載の遊技機においては、配線押え片と配線誘導片によって配線が係止されているだけであることから、何等かの外力が作用することにより、配線が外れてしまうおそれがあった。加えて、配線押え片が前面枠の裏側に直接設けられていることから、配線押え片が折れてしまった場合、前面枠そのものを交換しなければならないという問題があった。
【０００５】
また、特許文献２には、皿部材に設けられた配線押え片で配線を装飾部材に設けられた配線収納部に押さえ込むパチンコ機の球受皿が記載されている。
【０００６】
しかしながら、特許文献２に記載のパチンコ機の球受皿においては、装飾部材に設けられた配線挟持部で配線を押さえないと、配線が配線収納部に収まらないことから、皿部材と装飾部材を取り付ける作業が面倒であるという問題があった。
【０００７】
更にまた、特許文献３には、パチンコ機の機構盤に設けられた配線収納溝の内側面に形成された係止孔に対して、配線押え部材に設けられた係止片を係止させることにより、配線押え部材が配線収納溝を塞ぐように取り付けられるパチンコ機の機構盤における配線押え部材の取付構造が記載されている。
【０００８】
しかしながら、特許文献３に記載されている配線押え部材の取付構造においては、パチンコ機に衝撃が加わったりすると、配線押え部材が外れてしまうおそれがあった。
【０００９】
【特許文献１】特開平１１−３４２２４９号公報
【特許文献２】特開平１１−１６９５３３号公報
【特許文献３】特開平７−２３６７５２号公報
【発明の開示】
【発明が解決しようとする課題】
【００１０】
ここにおいて、本発明は、上述の如き事情を背景として為されたものであって、その解決課題とするところは、配線留め部材によって配線が留められた状態を有利に維持することが出来ると共に、配線を留める作業を効率良く行うことが出来る、新規な構造のパチンコ機を提供することにある。
【課題を解決するための手段】
【００１１】
以下、このような課題を解決するために為された本発明の態様を記載する。なお、以下に記載の各態様において採用される構成要素は、可能な限り任意の組み合わせで採用可能である。
【００１２】
本発明は、配線留め部材によって配線が留められたパチンコ機において、パチンコ機における配線留め部材が取り付けられる取付面には、壁状突出部が設けられている一方、配線留め部材が、壁状突出部から離れた位置で取付面に取り付けられる取付部を有していると共に、かかる取付部が取付面に取り付けられた状態で、取付面から突出した取付部の先端部分から取付面に沿って壁状突出部に至るまで延びる腕部を有していることを、特徴とする。また、本発明のパチンコ機は、上述の如き配線留め部材が壁状突出部に沿って並ぶように所定距離を隔てて複数配されていることも、特徴とする。
【００１３】
このような本発明に従う構造とされたパチンコ機においては、取付面に取付部が取り付けられた状態で、腕部が取付面に設けられた壁状突出部に至るまで延びていることから、取付部が取付面に取り付けられることにより、取付部と腕部と壁状突出部と取付面とによって囲まれた領域が形成されることとなる。これにより、配線が収容配置せしめられる領域（以下、配線収容配置領域と称する）がパチンコ機に形成されることとなる。
【００１４】
従って、本発明のパチンコ機においては、配線収容配置領域を通るようにして、配線がパチンコ機に配されることにより、配線留め部材によって配線が留められた状態を有利に維持することが可能となる。
【００１５】
そこにおいて、本発明では、配線留め部材が壁状突出部に沿って並ぶように所定距離を隔てて複数配されていることから、上述の如き配線収容配置領域が壁状突出部に沿って並ぶように複数形成されることとなる。
【００１６】
従って、本発明のパチンコ機においては、これら複数の配線収容配置領域を通るようにして、配線がパチンコ機に配されることにより、配線留め部材によって配線が留められた状態を一層有利に維持することが可能となる。
【００１７】
また、本発明においては、取付面に取付部を取り付けるだけで、配線収容配置領域が形成されるようになっていることから、壁状突出部に沿って配線を予め配しておくことにより、取付面に取付部を取り付ける際に、即ち、配線留め部材をパチンコ機に取り付ける際に、パチンコ機に配線を留めることが可能となる。その結果、配線を留める作業を効率良く行うことが可能となる。
【００１８】
なお、本発明において、取付部のパチンコ機への取付方法としては、嵌込係止や接着，ねじ止め等、従来から公知の各種取付方法が何れも採用可能であるが、メンテナンス性の向上等の観点からねじ止めが好適に採用される。そこにおいて、取付部のパチンコ機への取付方法としてねじ止めを採用する場合、パチンコ機の取付面に突起を設けると共に、かかる突起が挿通される中心孔を取付部に形成しておき、取付部の中心孔に突起を挿通せしめた状態で突起に形成されたねじ穴に螺挿されるねじによって取付部をパチンコ機へ取り付ける構成が望ましい。特に、このような構成を採用する場合、取付部と突起の何れか一方に切欠や溝を形成すると共に、かかる切欠や溝に嵌め入れられる係止片を取付部と突起の他方に形成することが望ましい。それによって、取付部がパチンコ機の取付面に重ね合わせられた状態で切欠や溝に係止片が嵌め入れられることとなり、ねじ穴にねじを螺挿する際に取付部が突起に対して回転してしまう不具合を有利に回避することが可能となる。その結果、取付部のねじ止め作業を速やかに行うことが可能となる。
【００１９】
また、本発明における配線とは、電源用配線や信号用配線等、パチンコ機を稼動させるために必要な各種の配線をいう。そこにおいて、電源用配線とは、パチンコ機が設置された遊技ホールの島設備に設けられたコンセントに接続される配線、即ち、パチンコ機と外部電源とを接続する配線のみならず、パチンコ機に設けられた電源ユニットからパチンコ機を構成する各種装置に電力を供給する配線、更には、アース線も含むものとする。また、信号用配線とは、パチンコ機の状態、例えば、遊技球が所定の領域を通過したこと等、パチンコ機の遊技に関する状態や、ガラス枠が中枠に対して開いていること等、パチンコ機そのものの状態を検出する検出手段から出力される検出信号の伝送に用いられる配線のみならず、パチンコ機の遊技動作全体を制御する主制御回路からパチンコ機を構成する各種装置の作動を制御するサブ制御回路への制御信号の伝送に用いられる配線や複数のサブ制御回路間での制御信号の伝送に用いられる配線等も含む。
【００２０】
さらに、本発明において、壁状突出部は、配線留め部材及び取付面と協働することによって配線収容配置領域を形成するためだけに設けられている必要はなく、例えば、パチンコ機を構成する部材の補強用リブ等で構成されていても良い。
【００２１】
更にまた、本発明において、壁状突出部と取付部の離隔距離は、配線の太さ等に応じて、適宜変更されるものである。
【００２２】
また、本発明において、壁状突出部に沿って並ぶ複数の取付部のうち隣り合う二つの取付部の離隔距離は、全て同じである必要はない。
【００２３】
さらに、本発明において、配線収容配置領域は、そこに収容配置される配線の脱落を回避することが可能となっていれば良く、腕部が壁状突出部に当接している必要は必ずしもない。即ち、本発明において、「壁状突出部に至る」とは、腕部が壁状突出部に当接している場合だけでなく、配線収容配置領域に収容配置される配線の脱落が回避され得る程度にまで腕部が壁状突出部に接近している場合も含むものとする。そこにおいて、腕部が壁状突出部に当接する態様としては、例えば、腕部が壁状突出部における取付部側の側面に当接する態様や、腕部が壁状突出部における突出先端面に当接する態様等が考えられる。また、本発明では、壁状突出部に対して切欠乃至は溝が形成されており、かかる切欠や溝に腕部が収容されるようになっていることが望ましい。これにより、取付部をねじ止め固定する際に、取付部が回転してしまうことを有利に回避することが可能となる。その結果、取付部を押えながらねじ止めする必要がなくなり、取付部のねじ止め作業を、容易に、且つ、速やかに行うことが可能となる。
【発明を実施するための最良の形態】
【００２４】
以下、本発明を更に具体的に明らかにするために、本発明の実施形態について、図面を参照しつつ、詳細に説明する。
【００２５】
先ず、図１には、本発明の一実施形態としてのパチンコ機１０が示されている。このパチンコ機１０は、機体の外郭を為す外枠１２の開口前面側において、縦長方形の中枠１４が開閉及び着脱自在に組み付けられた構造とされている。また、中枠１４には、図示しない遊技領域が形成された遊技盤（図示せず）が着脱自在に組み付けられており、かかる遊技領域が、中枠１４に対して開閉可能に組み付けられたガラス枠１６によって保持されているガラス板を通して遊技者に視認されるようになっている。そして、中枠１４に設けられた操作ハンドル１８に対して回動可能に装着された操作レバー２０が遊技者に回動操作されることにより、中枠１４に設けられた上皿２２に貯留されている遊技球が、図示しない球送り機構を介して発射装置（図示せず）に送られた後、遊技領域に向けて発射されるようになっている。
【００２６】
このようなパチンコ機１０の裏側には、パチンコ機１０を構成する各種の部品、例えば、遊技領域に設けられた入賞装置に遊技球が入賞した場合に払い出される賞球が貯留される賞球タンク等が装着される機構盤２４が設けられている。この機構盤２４は、ＡＢＳ等の硬質の合成樹脂材料によって形成されており、図２及び図３に示されているように、全体として額縁形状を呈している。なお、図３では、後述する電源用配線２６や電源中継基板３０，配線留め部材３２，取付用突起４０，センターカバー３３の図示は省略してある。
【００２７】
このような機構盤２４は、本実施形態では、中枠１４の裏側に取り付けられるようになっており、かかる機構盤２４の中枠１４への取付状態で、機構盤２４に形成された開口部分に対して、中枠１４の裏側に装着された遊技盤に設けられている表示装置等が位置せしめられるようになっている。そして、中枠１４の裏側に装着された遊技盤に設けられている表示装置等は、機構盤２４が中枠１４に取り付けられた状態で、機構盤２４に取り付けられたセンターカバー３３によって覆われるようになっている。
【００２８】
また、上述の如く、機構盤２４が中枠１４の裏側に取り付けられることにより、機構盤２４は、中枠１４と一体的に回動可能とされている。
【００２９】
そして、本実施形態では、このような額縁形状を呈する機構盤２４の縁の部分に対して、配線としての電源用配線２６が配線留め部材３２によって留められている。このことから明らかなように、本実施形態では、パチンコ機１０を構成する機構盤２４に対して電源用配線２６が配線留め部材３２で留められることにより、電源用配線２６がパチンコ機１０に対して配線留め部材３２で留められるようになっているのである。
【００３０】
因みに、本実施形態における電源用配線２６は、機構盤２４の裏側に取り付けられる電源ユニット（図示せず）と電源中継基板３０とを接続しており、交流電流が流れる電源コード、特に本実施形態では、ＡＣ２４Ｖ用の電源コードによって構成されている。そして、図面上では明示されていないが、電源中継基板３０は、パチンコ機１０が設置された遊技ホールの島設備に設けられたコンセントに対して電源コード（図示せず）によって接続されており、それによって、パチンコ機１０に電力が供給されるようになっている。
【００３１】
また、配線留め部材３２は、ＡＢＳ等の硬質の合成樹脂材料によって形成されており、図４乃至図６に示されているように、機構盤２４の取付面２５に取り付けられる取付部３４を含んで構成されている。そこにおいて、本実施形態の取付部３４は、全体として上底壁と周壁を備えた逆カップ形状とされている。また、本実施形態では、取付部３４に対して切欠４６，４６が形成されている。特に本実施形態では、取付部３４の周壁において後述する腕部３６の長手方向に直交する方向で対向位置せしめられる部分のそれぞれに切欠４６が形成されている。更にまた、本実施形態では、取付部３４の周壁の高さ寸法は、切欠４６，４６を挟んで腕部３６側のほうが反対側よりも大きくされている。
【００３２】
このような取付部３４の軸方向一方側の端、即ち、上底壁側の端には、取付部３４の軸直角方向外方に延びる腕部３６が一体形成されており、特に本実施形態では、腕部３６は長手板形状とされている。
【００３３】
そして、本実施形態の腕部３６には、板状の突出片３８が、取付部３４の中心軸線に沿って取付部３４の軸方向他方の側、即ち、上底壁とは反対側の端に向かって突出するように一体形成されている。そこにおいて、本実施形態の突出片３８は、腕部３６の長手方向において取付部３４が位置するほうとは反対側の端に位置せしめられている。また、本実施形態では、突出片３８の厚さ方向（図５や図６における左右方向）両側の面は、何れも、腕部３６の長手方向に対して直交する方向に略平行とされている。
【００３４】
なお、上述の説明から明らかなように、配線留め部材３２は、取付部３４と腕部３６と突出片３８とを一体成形により備えている。
【００３５】
このような構造とされた配線留め部材３２は、機構盤２４の表側、即ち、機構盤２４における中枠１４側に対して、所定の距離を隔てて複数設けられるようになっている。
【００３６】
具体的には、本実施形態の場合、図７乃至図９に示されているように、機構盤２４の取付面２５の内周縁部に立設された壁状突出部としての補強リブ２８から離れた位置において突出するように設けられた取付用突起４０に対して配線留め部材３２の取付部３４が外挿されて、取付部３４の軸方向他端面のうち切欠４６，４６を挟んで腕部３６側の端面が機構盤２４の取付面２５に重ね合わせられている一方、取付部３４の軸方向他端面のうち切欠４６，４６を挟んで腕部３６とは反対側の端面が取付用突起４０の外周部分において略半周に亘って形成された段差部４５に重ね合わせられており、また、各切欠４６内に取付用突起４０に設けられた突出片４８が位置せしめられた状態で、取付部３４の上底壁に形成された挿通孔に挿通されるねじ４４が取付用突起４０に形成されたねじ穴４２に螺挿されることにより、取付部３４、延いては、配線留め部材３２が、機構盤２４の取付面２５に取り付けられるようになっている。即ち、取付部３４は、補強リブ２８から離れた位置において、取付面２５に取り付けられるようになっているのである。
【００３７】
そして、上述の如く取付部３４が取付面２５に取り付けられた状態で、腕部３６は、取付面２５から突出した取付部３４の先端部分から取付面２５に沿って延びるようになっている。
【００３８】
なお、本実施形態では、取付部３４の上底壁に形成された挿通孔の軸方向一端側の開口周縁部に角取りが施されており、それによって、挿通孔の軸方向一端側の開口周縁部にテーパ面が形成されている。その結果、上述の如くねじ４４がねじ穴４２に螺挿された状態で、ねじ４４の頭部が取付部３４の軸方向一端側の端面から突出しないようになっている。
【００３９】
そこにおいて、本実施形態では、上述の如く取付部３４が取付用突起４０に組み付けられるようになっていることから、ねじ穴４２にねじ４４を螺挿する際に取付部３４が取付用突起４０に対して回転してしまう不具合を有利に回避することが可能となる。その結果、ねじ穴４２にねじ４４を螺挿する作業を速やかに行うことが可能となる。加えて、取付部３４、延いては、配線留め部材３２の位置決めをすることも可能となる。
【００４０】
また、上述の如く配線留め部材３２が機構盤２４に取り付けられた状態で、腕部３６は、機構盤２４の内周縁部において取付面２５から突出するように設けられた補強リブ２８に至るまで延びている。そこにおいて、本実施形態では、腕部３６は、補強リブ２８の突出先端面の上方にまで延び出しており、特に本実施形態では、腕部３６は、補強リブ２８の突出先端面に重ね合わせられている。
【００４１】
また、このようにして、腕部３６が補強リブ２８の突出先端面に重ね合わせられた状態で、腕部３６の突出端に一体形成された突出片３８は、補強リブ２８に形成された切欠溝４１に収容されるようになっている。これにより、ねじ穴４２にねじ４４を螺挿する際に取付部３４が取付用突起４０に対して回転してしまう不具合を有利に回避することが可能となる。その結果、ねじ穴４２にねじ４４を螺挿する作業を速やかに行うことが可能となる。加えて、取付部３４、延いては、配線留め部材３２の位置決めをすることも可能となる。
【００４２】
更にまた、上述の如く、取付部３４が取付面２５に取り付けられた状態で、腕部３６の突出端に形成された突出片３８が補強リブ２８に形成された切欠溝４１に収容されることにより、取付部３４と腕部３６と補強リブ２８と取付面２５によって囲まれた領域４３が周方向で閉じるようになっている。そこにおいて、このような領域４３は、配線留め部材３２と同じ数だけ形成されるようになっている。その結果、これら複数の領域４３は、補強リブ２８に沿って、所定距離を隔てて並ぶように位置せしめられることとなる。
【００４３】
そして、上述の如く配線留め部材３２が機構盤２４に取り付けられることにより、電源用配線２６は、補強リブ２８と取付部３４と腕部３６と取付面２５によって囲まれた領域４３に収容位置せしめられた状態で、機構盤２４に配されるようになっている。これにより、電源用配線２６は、補強リブ２８に沿って機構盤２４に配されることとなる。
【００４４】
このような構造とされたパチンコ機１０においては、電源用配線２６が配線留め部材３２と補強リブ２８と取付面２５によって形成された領域４３に収容位置せしめられた状態で機構盤２４に留められるようになっていることから、電源用配線２６がパチンコ機１０に留められた状態を有利に維持することが可能となる。
【００４５】
特に、電源用配線２６が収容配置される領域４３は、補強リブ２８に沿って、所定距離を隔てて複数並んでいることから、電源用配線２６がパチンコ機１０に留められた状態を一層有利に維持することが可能となる。
【００４６】
また、取付部３４を取付面２５に取り付けるだけで電源用配線２６が収容配置される領域４３が形成されるようになっていることから、電源用配線２６を予め補強リブ２８に沿って配しておくことによって、電源用配線２６を機構盤２４に留める作業が簡単になり、その結果、かかる作業を効率良く行うことが可能となる。従って、狭い領域で配線処理をしなければならない場合であっても、配線処理作業を、速やかに、且つ、容易に行うことが可能となる。
【００４７】
さらに、取付部３４が取付面２５に取り付けられた状態で、腕部３６が、取付面２５から突出した取付部３４の先端部分から取付面２５に沿って延びるように設けられていると共に、突出片３８が腕部３６から補強リブ２８の基端側に向かって突出していることから、取付面２５からの配線留め部材３２の突出高さを低くすることが可能となる。
【００４８】
また、本実施形態では、電源用配線２６が中枠１４の裏側に取り付けられる機構盤２４の縁の部分に配されるようになっていることから、中枠１４の開閉作動に際して電源用配線２６が邪魔になることがない。
【００４９】
以上、本発明の一実施形態について詳述してきたが、これはあくまでも例示であって、本発明は、かかる実施形態における具体的な記載によって、何等、限定的に解釈されるものではない。
【００５０】
例えば、前記実施形態において、突出片３８は必ずしも必要ではない。また、前記実施形態において、腕部３６と補強リブ２８の間に隙間が形成されていても良い。更に、前記実施形態において、切欠溝４１は必ずしも必要ではない。更にまた、前記実施形態において、取付部３４に形成された切欠４６は、必ずしも必要なものではない。また、前記実施形態において、取付用突起４０は、必ずしも必要なものではない。更に、前記実施形態において、段差部４５は、必ずしも必要なものではない。更にまた、前記実施形態において、電源用配線２６は、機構盤２４を介さずに、中枠１４に対して直接に配されるようになっていても良い。
【００５１】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００５２】
【図１】本発明の一実施形態のパチンコ機を示す正面図。
【図２】同パチンコ機の裏側に取り付けられた機構盤を示す正面図。
【図３】同機構盤の斜視図。
【図４】配線留め部材の斜視図。
【図５】配線留め部材の側面図。
【図６】配線留め部材の裏面図。
【図７】電源用配線が配された状態を説明するための平面図。
【図８】図７におけるＶＩＩＩ−ＶＩＩＩ断面図。
【図９】図７におけるＩＸ−ＩＸ断面図。
【符号の説明】
【００５３】
１０：パチンコ機，２５：取付面，２６：電源用配線，２８：補強リブ，３２：配線留め部材，３４：取付部，３６：腕部
【図１】
2007319209.tif 000003
【図２】
2007319209.tif 000004
【図３】
2007319209.tif 000005
【図４】
2007319209.tif 000006
【図５】
2007319209.tif 000007
【図６】
2007319209.tif 000008
【図７】
2007319209.tif 000009
【図８】
2007319209.tif 000010
【図９】
2007319209.tif 000011